(57)【要約】【課題】操作者が前処理情報を指定する煩雑さを低減させることが可能な前処理装置、及び前処理情報設定方法を提供する。【解決手段】前処理装置のＣＰＵは、コードリーダから受付けた被記録媒体情報に全ての前処理情報が揃っていないと判定した場合には（Ｓ１Ａ：ＮＯ）、被記録媒体情報に含まれている前処理情報を第一テーブルの前処理情報の一覧と照合し、被記録媒体情報に含まれている前処理情報が全て一致する前処理情報を特定する（Ｓ１Ｂ）。ＣＰＵは、特定した前処理情報から前処理のための情報の全てが揃った前処理情報を取得し（Ｓ３）、全て揃った前処理情報を塗布部と熱処理部に設定する（Ｓ９）。ＣＰＵは、被記録媒体が有する被記録媒体情報を受付けるのみで、前処理部に前処理を実行させる（Ｓ１３）ので、操作者が前処理情報を指定する煩雑さを低減できる。【選択図】図６
2019116706.tif 000002
【特許請求の範囲】
【請求項１】
被記録媒体に前処理を施す前処理部と、
前記被記録媒体が有する被記録媒体情報を受付ける受付部と、
前処理装置を制御する制御部と、
を備え、
前記制御部は、
前記受付部が受付けた前記被記録媒体情報に基づき、前記前処理に関する前処理情報を前記前処理部に設定する設定ステップと、
前記設定ステップにて設定した前記前処理情報に基づく前記前処理を前記前処理部に実行させる実行ステップと、
を実行することを特徴とする前処理装置。
【請求項２】
前記制御部は、
前記設定ステップにて、前記被記録媒体情報に基づき、前処理範囲を設定すること
を特徴とする請求項１に記載の前処理装置。
【請求項３】
前記制御部は、
前記設定ステップにて、前記被記録媒体情報に対応する印刷データに基づく前記前処理範囲を設定すること
を特徴とする請求項２に記載の前処理装置。
【請求項４】
前記制御部は、
前記設定ステップにて、前記印刷データに含まれる前記被記録媒体に対する画像の配置情報に基づき、前記前処理範囲を設定すること
を特徴とする請求項３に記載の前処理装置。
【請求項５】
前記前処理部は、前処理剤を塗布する塗布部を備え、
前記制御部は、
前記設定ステップにて、前記被記録媒体情報に基づき、前記前処理情報として塗布処理情報を前記塗布部に設定すること、
を特徴とする請求項１〜４の何れか一に記載の前処理装置。
【請求項６】
前記制御部は、
前記設定ステップにて、前記塗布処理情報として前記前処理剤の種類と前記前処理剤の塗布量の少なくとも一つを前記塗布部に設定すること
を特徴とする請求項５に記載の前処理装置。
【請求項７】
前記前処理部は、前記被記録媒体に対し熱処理を施す熱処理部を備え、
前記制御部は、
前記設定ステップにて、前記被記録媒体情報に基づき熱処理情報を前記熱処理部に設定すること、
を特徴とする請求項１〜６の何れか一に記載の前処理装置。
【請求項８】
前記制御部は、
前記設定ステップにて、前記熱処理情報として、熱処理温度、熱処理時間、及び熱処理回数の少なくとも一つを前記熱処理部に設定すること
を特徴とする請求項７に記載の前処理装置。
【請求項９】
前記熱処理部はヒートプレス部を備え、
前記制御部は、
前記設定ステップにて、前記熱処理情報として、ヒートプレス温度、ヒートプレス時間、ヒートプレス圧力、及びヒートプレス回数の少なくとも一つを前記熱処理部に設定すること
を特徴とする請求項７又は８に記載の前処理装置。
【請求項１０】
前記被記録媒体情報は、前記被記録媒体の材質に関する情報である材質情報、及び製造に関する情報である製造情報の少なくとも一つを含み、
前記制御部は、
前記設定ステップにて、前記材質情報、及び前記製造情報の少なくとも一つに基づき、前記前処理情報を前記前処理部に設定すること
を特徴とする請求項１〜９の何れか一に記載の前処理装置。
【請求項１１】
前記材質情報は前記被記録媒体の色情報を含み、
前記制御部は、
前記色情報に基づき前記前処理を施すか判定する判定ステップを更に実行し、
前記判定ステップにて前記前処理を施さないと判定した場合に、前記実行ステップにて前記前処理を実行しないこと
を特徴する請求項１０に記載の前処理装置。
【請求項１２】
前記被記録媒体情報は、識別子を含み、
前記制御部は、
前記設定ステップにて、前記識別子に基づき前記前処理情報を前記前処理部に設定すること
を特徴とする請求項１〜１１の何れか一に記載の前処理装置。
【請求項１３】
前記制御部は、
前記設定ステップにて、前記識別子と前記前処理情報とを対応付けて記憶する記憶部から取得した、前記受付部が受け付けた前記被記録媒体情報に含まれる前記識別子に対応する前記前処理情報を前記前処理部に設定すること
を特徴とする請求項１２に記載の前処理装置。
【請求項１４】
前記被記録媒体情報は、識別子を含み、
前記制御部は、
前記設定ステップにて、前記識別子と印刷データとを対応付けて記憶する外部装置から取得した、前記受付部が受け付けた前記被記録媒体情報に含まれる前記識別子に対応する前記印刷データに基づき前処理範囲を設定すること
を特徴とする請求項１〜１３の何れか一に記載の前処理装置。
【請求項１５】
前記外部装置はサーバであることを特徴とする請求項１４に記載の前処理装置。
【請求項１６】
前記被記録媒体に印刷をする印刷部を更に備えること
を特徴とする請求項１〜１５の何れか一に記載の前処理装置。
【請求項１７】
被記録媒体に前処理を施す前処理部と、被記録媒体情報を受付ける受付部と、前処理装置を制御する制御部と、を備える前記前処理装置の前処理情報設定方法であって、
前記制御部が、前記受付部が受付けた前記被記録媒体情報に基づき、前記前処理に関する前処理情報を前記前処理部に設定する設定ステップと、
前記制御部が、前記設定ステップにて設定した前記前処理情報に基づく前記前処理を前記前処理部に実行させる実行ステップと、
を備えることを特徴とする前処理情報設定方法。
【発明の詳細な説明】
【技術分野】
【０００１】
本発明は、前処理装置、及び前処理情報設定方法に関する。
【背景技術】
【０００２】
印刷処理の前に前処理を行う前処理装置が知られている。例えば、特許文献１に記載のインクジェット捺染装置は、捺染実行部と前処理部とを備えている。前処理部は、捺染実行部による被捺染材へのインクの吐出に先立って、被捺染材の皺伸ばし処理を行う。また、前処理部は、被捺染材への前処理剤としてのコート液の付着処理等の他の処理も行う。
【先行技術文献】
【特許文献】
【０００３】
【特許文献１】特開２０１３−１９０８３号公報
【発明の概要】
【発明が解決しようとする課題】
【０００４】
前処理部が、前処理剤の定着のための熱処理を行うことも考えられる。前処理を実行させる為に、前処理装置の操作者が、前処理剤の単位面積当たりの塗布量、塗布範囲、熱処理時間、熱処理温度等の複数の前処理情報を前処理装置の操作部、又は前処理装置に接続されている端末装置を介してそれぞれ指定することが考えられる。しかしながら、前処理を行う度に複数の前処理情報をそれぞれ操作者が指定することは、煩雑である。
【０００５】
本発明の目的は、操作者が前処理情報を指定する煩雑さを低減させることが可能な前処理装置、及び前処理情報設定方法を提供することである。
【課題を解決するための手段】
【０００６】
第一態様の前処理装置は、被記録媒体に前処理を施す前処理部と、前記被記録媒体が有する被記録媒体情報を受付ける受付部と、前処理装置を制御する制御部とを備え、前記制御部は、前記受付部が受付けた前記被記録媒体情報に基づき、前記前処理に関する前処理情報を前記前処理部に設定する設定ステップと、前記設定ステップにて設定した前記前処理情報に基づく前記前処理を前記前処理部に実行させる実行ステップとを実行することを特徴とする。
【０００７】
前処理装置は、被記録媒体情報を受付けて、受付けた被記録媒体情報に基づき、前処理情報を前処理部に設定する。前処理部は、設定した前処理情報に基づく前処理を実行する。故に、前処理装置は、操作者が前処理情報を指定する煩雑さを低減させることができる。
【０００８】
前記制御部は、前記設定ステップにて、前記被記録媒体情報に基づき、前処理範囲を設定しても良い。前処理装置は、設定ステップにて、受付部で受け付けた被記録媒体情報に基づき、前処理範囲を設定する。故に、前処理装置は、操作者が前処理範囲を指定する煩雑さを低減させることができる。
【０００９】
前記制御部は、前記設定ステップにて、前記被記録媒体情報に対応する印刷データに基づく前記前処理範囲を設定しても良い。前処理装置は、印刷データに基づく前処理範囲を設定する。故に、前処理装置は、印刷データに基づき適切な前処理を実行できる。
【００１０】
前記制御部は、前記設定ステップにて、前記印刷データに含まれる前記被記録媒体に対する画像の配置情報に基づき、前記前処理範囲を設定しても良い。前処理装置は、印刷データに含まれる画像の配置情報に基づき前処理範囲を設定する。故に、前処理装置は、印刷データに基づき適切な前処理を実行できる。
【００１１】
前記前処理部は、前処理剤を塗布する塗布部を備え、前記制御部は、前記設定ステップにて、前記被記録媒体情報に基づき、前記前処理情報として塗布処理情報を前記塗布部に設定しても良い。前処理装置は、被記録媒体情報に基づき塗布処理情報を設定する。故に、前処理装置は、操作者が塗布処理情報を指定する煩雑さを低減させることができる。
【００１２】
前記制御部は、前記設定ステップにて、前記塗布処理情報として前記前処理剤の種類と前記前処理剤の塗布量の少なくとも一つを前記塗布部に設定しても良い。前処理装置は、塗布処理情報として前処理剤の種類と前処理剤の単位面積当たりの塗布量の少なくとも一つを設定する。故に、前処理装置は、操作者が前処理剤の種類と前処理剤の単位面積当たりの塗布量の少なくとも一つを含む塗布処理情報を指定する煩雑さを低減させることができる。
【００１３】
前記前処理部は、前記被記録媒体に対し熱処理を施す熱処理部を備え、前記制御部は、前記設定ステップにて、前記被記録媒体情報に基づき熱処理情報を前記熱処理部に設定しても良い。前処理装置は、被記録媒体情報に基づき熱処理情報を設定する。故に、前処理装置は、操作者が熱処理情報を指定する煩雑さを低減させることができる。
【００１４】
前記制御部は、前記設定ステップにて、前記熱処理情報として、熱処理温度、熱処理時間、及び熱処理回数の少なくとも一つを前記熱処理部に設定しても良い。前処理装置は、熱処理情報として、熱処理温度、熱処理時間、及び熱処理回数の少なくとも一つを設定する。故に、前処理装置は、操作者が熱処理温度、熱処理時間、及び熱処理回数の少なくとも一つを含む熱処理情報を指定する煩雑さを低減させることができる。
【００１５】
前記熱処理部はヒートプレス部を備え、前記制御部は、前記設定ステップにて、前記熱処理情報として、ヒートプレス温度、ヒートプレス時間、ヒートプレス圧力、及びヒートプレス回数の少なくとも一つを前記熱処理部に設定しても良い。前処理装置は、熱処理情報として、ヒートプレス温度、ヒートプレス時間、ヒートプレス圧力、及びヒートプレス回数の少なくとも一つを熱処理部に設定する。故に、前処理装置は、操作者がヒートプレス温度、ヒートプレス時間、ヒートプレス圧力、及びヒートプレス回数の少なくとも一つを含む熱処理情報を指定する煩雑さを低減させることができる。
【００１６】
前記被記録媒体情報は、前記被記録媒体の材質に関する情報である材質情報、及び製造に関する情報である製造情報の少なくとも一つを含み、前記制御部は、前記設定ステップにて、前記材質情報、及び前記製造情報の少なくとも一つに基づき、前記前処理情報を前記前処理部に設定しても良い。前処理装置は、材質情報、及び製造情報の少なくとも一つに基づき前処理情報を前処理部に設定する。故に、前処理装置は、操作者が前処理情報を指定する煩雑さを低減させることができる。
【００１７】
前記材質情報は前記被記録媒体の色情報を含み、前記制御部は、前記色情報に基づき前記前処理を施すか判定する判定ステップを更に実行し、前記判定ステップにて前記前処理を施さないと判定した場合に、前記実行ステップにて前記前処理を実行しない様にしても良い。前処理装置は、被記録媒体の色情報に基づき、特定色に対して前処理を施さないので、生産性が向上させることができる。
【００１８】
前記被記録媒体情報は、識別子を含み、前記制御部は、前記設定ステップにて、前記識別子に基づき前記前処理情報を前記前処理部に設定しても良い。前処理装置は、識別子に基づき前処理情報を前処理部に設定する。故に、前処理装置は、操作者が前処理情報を指定する煩雑さを低減させることができる。
【００１９】
前記制御部は、前記設定ステップにて、前記識別子と前記前処理情報とを対応付けて記憶する記憶部から取得した、前記受付部が受け付けた前記被記録媒体情報に含まれる前記識別子に対応する前記前処理情報を前記前処理部に設定しても良い。前処理装置は、識別子に基づき記憶部から前処理情報を取得し前処理部に設定する。故に、前処理装置は、操作者が前処理情報を指定する煩雑さを低減させることができる。
【００２０】
前記被記録媒体情報は、識別子を含み、前記制御部は、前記設定ステップにて、前記識別子と印刷データとを対応付けて記憶する外部装置から取得した、前記受付部が受け付けた前記被記録媒体情報に含まれる前記識別子に対応する前記印刷データに基づき前処理範囲を設定しても良い。前処理装置は、外部装置から取得した印刷データに基づき前処理範囲を設定する。故に、前処理装置は、操作者が前処理範囲を指定する煩雑さを低減させることができる。
【００２１】
前記外部装置はサーバであっても良い。前処理装置は、サーバから取得した、識別子に対応する印刷データに基づき前処理範囲を設定できる。
【００２２】
前記被記録媒体に印刷をする印刷部を更に備えても良い。
【００２３】
第二態様の前処理情報設定方法は、被記録媒体に前処理を施す前処理部と、被記録媒体情報を受付ける受付部と、前処理装置を制御する制御部と、を備える前記前処理装置の前処理情報設定方法であって、前記制御部が、前記受付部が受付けた前記被記録媒体情報に基づき、前記前処理に関する前処理情報を前記前処理部に設定する設定ステップと、前記制御部が、前記設定ステップにて設定した前記前処理情報に基づく前記前処理を前記前処理部に実行させる実行ステップとを備えることを特徴とする。
【００２４】
前処理装置は、被記録媒体情報を受付けて、受付けた被記録媒体情報に基づき、前処理情報を前処理部に設定する。前処理部は、設定した前処理情報に基づく前処理を実行する。従って、前処理装置は、操作者により前処理情報が指定されることなく前処理を実行する。故に、前処理装置は、操作者が前処理情報を指定する煩雑さを低減させることができる。
【図面の簡単な説明】
【００２５】
【図１】前処理装置１０を含むシステムのネットワーク構成図の一例である。
【図２】前処理装置１０の概略構成を示す斜視図である。
【図３】（Ａ）は、前処理装置１０の概略的な電気的構成を示すブロック図である。（Ｂ）は、サーバ２の概略的な電気的構成を示すブロック図である。
【図４】（Ａ）は、第一テーブル８１の例を示す図である。（Ｂ）は、第二テーブル８２の例を示す図である。
【図５】（Ａ）は、具体例における塗布範囲ＣＲ１を示す図である。（Ｂ）は、具体例における熱処理範囲ＰＲ１，ＰＲ１−１を示す図である。
【図６】第一メイン処理の流れを示すフローチャートである。
【図７】（Ａ）は、第三テーブル８３の例を示す図である。（Ｂ）は、第四テーブル８４の例を示す図である。
【図８】第二メイン処理の流れを示すフローチャートである。
【図９】（Ａ）は、第五テーブル８５の例を示す図である。（Ｂ）は、第六テーブル８６の例を示す図である。
【図１０】第三メイン処理の流れを示すフローチャートである。
【図１１】第七テーブル８７の例を示す図である。
【図１２】第四メイン処理の流れを示すフローチャートの一部である。
【図１３】第四メイン処理の流れを示すフローチャートの残りの一部である。
【図１４】第八テーブル８８の例を示す図である。
【図１５】第五メイン処理の流れを示すフローチャートである。
【発明を実施するための形態】
【００２６】
本発明の第一実施形態の前処理装置１０を、図面を参照して説明する。前処理装置１０は、プリンタ１により被記録媒体の一例である布帛に印刷を行う前に、前処理を行う装置である。前処理の一例は、前処理剤の布帛への塗布処理、前処理剤を布帛に定着させるための高温での熱処理等の処理である。
【００２７】
＜システム構成＞
図１に示す様に、一又は複数の前処理装置１０、一又は複数のプリンタ１、及びサーバ２は、ネットワーク３を介して互いに接続されている。プリンタ１は印刷データに基づき布帛に印刷処理を実行する。印刷データはプリンタ１が布帛に印刷を行う為の情報である。ネットワーク３は、一例として、イントラネット、及びインターネット等である。また、一又は複数の前処理装置１０、一又は複数のプリンタ１、及びサーバ２は、夫々がネットワーク３に接続されていなくても良く、例えば、ＵＳＢ（Universal Serial Bus）（登録商標）ポート等のシリアルポートに接続可能なシリアルケーブルを介して、夫々接続されていても良い。更に、ネットワーク３を介した接続とシリアルケーブルを介した接続が混在していても良い。
【００２８】
＜前処理装置１０＞
図２の上方、下方、右下方、左上方、左下方、及び右上方が、夫々、前処理装置１０の上方、下方、前方、後方、右方、及び左方である。図２に示す様に、前処理装置１０は、プラテン３１、塗布部４０、及び熱処理部５０等を備える。プラテン３１は被記録媒体の一例である布帛を載置する。塗布部４０は布帛に前処理剤を塗布する。熱処理部５０は、例えば、布帛を高温で加圧して前処理剤を乾燥させることで、前処理剤の布帛への定着を向上させ、画質を向上させる。以下、塗布部４０、及び熱処理部５０を「前処理部７０」と言う。布帛の材質の一例は、綿、ポリエステル、綿とポリエステルとの混合等である。前処理剤は、カラーインクの発色を良くする。前処理剤の一例は、ＣａＣｌ２等の金属塩を含む水溶液である。
【００２９】
図２に示す様に、プラテン３１のセット位置Ｐ１は、操作者が布帛をプラテン３１に載置するときのプラテン３１の位置であり、一例として、プラテン３１が前側に一番移動した位置である。プラテン３１は、上面が前後方向に長尺な略長方形の形状である。また、プラテン３１は、下面の中央部に円筒状の連結部（不図示）を備えている。
【００３０】
＜プラテン搬送機構＞
前処理装置１０は、プラテン３１の下方に、プラテン３１を前後に搬送するプラテン搬送機構（不図示）を備える。プラテン搬送機構は、二本のガイド６０、ベルト（不図示）、プーリー（不図示）、支持部（不図示）、及びプラテンモータ１７（図３（Ａ）参照）等を備えている。二本のガイド６０は、前処理装置１０の前部から後方向に延設され、左右に並列に設けられている。ガイド６０は一例として、円柱の金属製の棒である。プラテン３１は、二本のガイド６０に沿って、前後方向に移動する。プラテンモータ１７は、一例として、ステッピングモータである。
【００３１】
支持部は、プラテン３１を支持し、プラテン３１の連結部に連結されている。また、支持部は、二本のガイド６０が挿入されている二つの挿入孔（不図示）を有する。従って、支持部が、プラテン搬送機構のベルトにより、前後方向に移動することに伴い、プラテン３１は前後方向に移動する。
【００３２】
＜塗布部４０＞
塗布部４０は、少なくとも一つのスプレー（不図示）、前処理剤用のタンク（不図示）、及びタンク内の前処理剤をスプレーに供給する為の流路（不図示）等を備えている。また、スプレーのノズル（不図示）は流路に各々接続されている。タンクが複数設けられている場合には、夫々のタンクには、異なる種類の前処理剤が蓄積されている。スプレーの噴霧面は、プラテン３１の上面に対向している。スプレーは、詳しくは後述する検出部２５（図３（Ａ）参照）がプラテン３１の塗布位置（不図示）への移動を検出した時に、布帛に対し前処理剤の噴霧を開始する。塗布位置は、塗布部４０が前処理剤の塗布を開始する位置である。
【００３３】
＜熱処理部５０＞
熱処理部５０は、塗布部４０より後方向に離れて配置されている。熱処理部５０は、一例として、近赤外線ヒータ、高温の空気を送風する送風装置、ヒートプレス装置、ヒートローラ等である。以下では、熱処理部５０はヒートプレス装置であるとして説明する。熱処理部５０は、プレス部５１、プレス面駆動機構５２、連結部５３、及びプレス支持部５４等を備える。プレス面駆動機構５２は、プーリー（不図示）、及びプレスモータ１９（図３（Ａ）参照）等を備える。プレス部５１は、前後方向に長尺な略長方形の形状に形成されている。プレス部５１の下面はプレス面５１Ａとして機能する。
【００３４】
プレス部５１は、指定された温度に発熱する発熱機構（不図示）を内部に有し、プレス面駆動機構５２により、上下に移動可能である。検出部２５がプラテン３１の熱処理位置（不図示）への移動を検出した時に、プレス面駆動機構５２によりプレス部５１が降下し、プレス面５１Ａは、布帛に対しヒートプレスを開始する。以下、熱処理部５０が下方向へのプレス動作を開始する位置を「熱処理位置」と言う。
【００３５】
プレス面５１Ａは、例えば、プラテン３１が熱処理位置に位置する時、プラテン３１の上面に対し四方（前後左右）に大きい。この場合、前処理装置１０は、前処理剤が塗布された布帛の領域を一度でヒートプレスできる。
【００３６】
＜前処理装置１０の電気的構成＞
図３（Ａ）に示す様に、前処理装置１０は、ＣＰＵ(Central Processing Unit)１１、ＲＯＭ(Read Only Memory)１２、ＲＡＭ(Random Access Memory)１３、フラッシュメモリ１４、センサ１５、駆動回路１６，１８、コードリーダ２０、操作部２１、表示部２２、出入力部２３、及び通信部２４等を備え、バス２６を介して互いに接続されている。ＣＰＵ１１は、前処理装置１０を制御し、ＲＯＭ１２から各種のプログラムを読み出して、ＲＡＭ１３をワーキングメモリとして使用して、各種の処理を実行する。例えば、ＣＰＵ１１は、メイン処理用のプログラムをＲＯＭ１２から読み出して、詳しくは後述するメイン処理を実行する。
【００３７】
フラッシュメモリ１４は、各種のテーブル、及びパラメータ等を記憶している。フラッシュメモリ１４は、詳しくは後述する第一テーブル８１、及び第二テーブル８２等のテーブル（対応情報）類を記憶している。テーブルは対応情報の一例であり、本実施形態においてはテーブルを例に説明するが、対応情報の態様は任意である。また、フラッシュメモリ１４は、詳しくは後述する前処理情報のデフォルトの情報を夫々記憶している。更に、フラッシュメモリ１４は、プラテンモータ１７のステップ数と熱処理位置を対応付けて記憶している。
【００３８】
プラテンモータ１７のステップ数と塗布位置又は熱処理位置の対応付けについて簡単に説明する。後述する図５に示す様に、プラテン３１にＸＹ座標が設定されている。プラテン３１のＹ軸は前後方向と平行であり、Ｘ軸は左右方向と平行である。ＸＹ座標の原点は、プラテン３１の左前端である。Ｙ軸の正方向は後方向であり、Ｘ軸の正方向は右方向である。フラッシュメモリ１４は、プラテン３１のＹ座標における塗布位置とプラテンモータ１７のステップ数とを対応付けて記憶している。
【００３９】
図５の例では、プラテン３１は、７×１８の領域に分割されている。フラッシュメモリ１４は、領域と該領域の少なくも左前端部のＸＹ座標を対応付けて夫々記憶している。Ｘ軸方向の分割数の"７"は、塗布部４０が備えるスプレーの数に対応しており、本実施形態は、塗布部４０は、七本のスプレーを備えている。Ｙ軸方向の分割の数は任意であるが、より多く分割することで、前処理剤の塗布範囲を細かく設定出来るので、前処理剤の無駄を省くことができ、塗布に要する時間も短縮できる。
【００４０】
センサ１５は、透過センサ等の位置検出用のセンサであり、プラテン３１のセット位置Ｐ１を検出可能な位置に配置されている。センサ１５は、セット位置Ｐ１を検出可能であれば、機械式、光学式の何れかの位置検出用のセンサを用いることができる。
【００４１】
駆動回路１６は、プラテンモータ１７に接続しており、ＣＰＵ１１の制御の下、プラテンモータ１７を駆動する。駆動回路１８は、プレスモータ１９に接続しており、ＣＰＵ１１の制御の下、プレスモータ１９を駆動する。本実施形態においては、センサ１５とプラテンモータ１７との組み合わせにより、検出部２５が構成される。本実施形態においては、上述した様に、プラテンモータ１７は、ステッピングモータである。従って、フラッシュメモリ１４は、プラテンモータ１７のステップ数と熱処理位置、塗布位置を対応付けて記憶しているので、セット位置Ｐ１からのステップ数により、検出部２５は、塗布位置、熱処理位置を検出できる。また、検出部２５は、塗布範囲の塗布終了位置を検出できる。
【００４２】
コードリーダ２０は、布帛等の被記録媒体に付されたバーコード等の一次元コード、ＱＲコード（登録商標）等の二次元、及び三次元等のコードの情報を読み取り、ＣＰＵ１１に入力する。これらのコードの情報は、布帛等の被記録媒体に関する情報である被記録媒体情報である。被記録媒体情報は、例えば、前処理情報、識別子、メディア情報である。前処理情報、識別子、及びメディア情報については、夫々、後述する。本実施形態においては、被記録媒体情報は前処理情報の少なくとも一部を含む。なお、これらコードの情報は、被記録媒体の一部に印刷されても良いし、紙等に印刷されてクリップ、テープ、または載置等によって被記録媒体と対応付けされていれば良い。よって、これら形態を被記録媒体が被記録媒体情報を有するとする。
【００４３】
操作部２１は、操作パネル等を備えている。操作パネルは、例えば、ボタン等を備えている。従って、操作者は、操作部２１を介して、所望の指示を前処理装置１０に与えることができる。また、操作者は、布帛等の被記録媒体に付されたコードがバーコードである場合には、バーコートに併記されている数字列を、操作部２１を介して入力しても良い。表示部２２は、周知のディスプレイ装置等で構成される。表示部２２は、タッチパネルを備え、操作部２１として機能しても良い。出入力部２３は、ＳＤ(Secure Digital)メモリカードスロット、及びＵＳＢ(Universal Serial Bus)（登録商標）ポート等を備えている。
【００４４】
通信部２４は、無線モジュール（不図示）と有線モジュール（不図示）の内の少なくとも一方を有し、プリンタ１、及びサーバ２とネットワーク３を介して接続可能である。前処理装置１０は、通信部２４に代えて、ＵＳＢポートに接続可能な無線モジュールにより、プリンタ１、及びサーバ２とネットワーク３を介して接続されても良い。
【００４５】
＜サーバ２の電気的構成＞
図３（Ｂ）が示す様に、サーバ２は、ＣＰＵ２０１、ＲＯＭ２０２、ＲＡＭ２０３、ＨＤＤ２０４、通信部２０５、及び出入力部２０６等を備え、バス２０７を介して互いに接続されている。ＣＰＵ２０１は、サーバ２全体を制御し、ＨＤＤ２０４から各種のプログラムを読み出し、ＲＡＭ２０３をワーキングメモリとして使用して各種の処理を実行する。ＨＤＤ２０４は、各種のプログラム、及び各種の情報を記憶する。
【００４６】
通信部２０５は、無線モジュール（不図示）と有線モジュール（不図示）の内の少なくとも一方を有し、プリンタ１、及び前処理装置１０とネットワーク３を介して接続可能である。サーバ２は、通信部２０５に代えて、ＵＳＢポートに接続可能な無線モジュールにより、プリンタ１、及び前処理装置１０とネットワーク３を介して接続されても良い。出入力部２０６は、ＵＳＢ（登録商標）ポートや他の規格のシリアルポート等を備えている。
【００４７】
＜第一テーブル８１＞
図４（Ａ）に示す様に、第一テーブル８１は、前処理情報の一覧のテーブルである。第一テーブル８１は、前処理装置１０のフラッシュメモリ１４に記憶されている。前処理情報は、塗布処理に関する塗布処理情報と熱処理に関する熱処理情報とが有る。塗布処理情報は、図４（Ａ）の例では、単位面積当たりの塗布量（ｍｇ／ｃｍ２）、塗布範囲、及び前処理剤の種類である。単位面積当たりの塗布量（ｍｇ／ｃｍ２）は、前処理剤の単位面積当たりの塗布量（ｍｇ／ｃｍ２）を示す情報である。塗布範囲は、前処理剤を塗布する範囲を示す情報である。前処理剤の種類は、前処理剤の種類を示す情報である。
【００４８】
熱処理情報は、図４（Ａ）の例では、熱処理圧力（Ｎ／ｃｍ２）、熱処理時間（ｓｅｃ）、熱処理温度（℃）、熱処理範囲、及び熱処理回数である。熱処理圧力（Ｎ／ｃｍ２）は、熱処理部５０がヒートプレス部やヒートローラ等、熱処理の対象である布帛に圧力を加える場合には、熱処理の際に加える圧力の値である。従って、熱処理部５０が近赤外線ヒータや送風装置等、布帛に非接触の場合には、ヌル（―）が設定されている。熱処理時間（ｓｅｃ）は熱処理を行う時間である。熱処理温度（℃）は熱処理の温度である。熱処理範囲は、熱処理を行う範囲である。熱処理回数は、設定されている熱処理時間（ｓｅｃ）の熱処理を繰り返す回数である。
【００４９】
＜第二テーブル８２＞
図４（Ｂ）に示す様に、第二テーブル８２は、スプレー毎に塗布領域の左右方向（Ｘ軸方向）の塗布区間が対応付けられているテーブルである。図４（Ｂ）に示す第二テーブル８２は、スプレーの数が七個の場合の例であり、プラテン３１の左端がＸ軸の"０"となっている。例えば、スプレー（３）の塗布区間は[ｂ，ｃ]である。つまり、スプレー（３）は、塗布区間[ｂ，ｃ]に噴霧出来る。
【００５０】
図５（Ａ）は、具体例における塗布範囲ＣＲ１を示す図である。図５（Ａ）の例では、塗布範囲ＣＲ１は、網掛けされた領域である。つまり、塗布範囲ＣＲ１は、（（３），４〜５）領域、（（２）〜（４），６〜９）領域から成る領域である。図５（Ｂ）は、具体例における熱処理範囲ＰＲ１，ＰＲ１−１を示す図である。図５（Ｂ）の例において、熱処理部５０が近赤外線装置等、プラテン３１を分割した各領域（図５の例では、７×１８分割）に熱処理を行える構成であれば、この分割した各領域に対して、ＣＰＵ１１の制御の下、熱処理部５０が熱処理を行うことが可能である。この場合、熱処理部５０は、網掛けされた領域を熱処理範囲ＰＲ１として熱処理する。つまり、この場合は、塗布範囲ＣＲ１と熱処理範囲ＰＲ１が同じ範囲になる。
【００５１】
一方、ＣＰＵ１１の制御の下、熱処理部５０がヒートプレス装置、送風装置、又はヒートローラ等、プラテン３１を分割した各領域（図５の例では、７×１８分割）に熱処理を行えない構成であれば、熱処理部５０は、例えば、太線枠で囲まれた（（１）〜（７）、４〜９）領域を熱処理範囲ＰＲ１−１として熱処理を行う。すなわち、熱処理範囲ＰＲ１−１は熱処理部５０の構成に依存した形状になり、例えば、図２に示すプレス面５１Ａがプラテン３１と同一形状であれば、熱処理範囲ＰＲ１−１は、プラテン３１と同じ形状になる。
【００５２】
＜第一メイン処理＞
図６を参照して、第一メイン処理の流れを説明する。本メイン処理は、前処理装置１０の電源が投入されたことをトリガとして実行される。ＣＰＵ１１は、ＲＯＭ１２からメイン処理用のプログラムを読み出して、ＲＡＭ１３をワーキングメモリとして使用して、本メイン処理を実行する。被記録媒体情報は、第一実施形態においては、上述した様に、前処理情報の少なくも一部を含む。
【００５３】
初めに、ＣＰＵ１１は、被記録媒体情報を受付けたかを判定する（Ｓ１）。一例として、ＣＰＵ１１は、コードリーダ２０から被記録媒体情報をコード化した情報が入力された場合、又は操作部２１からコードに付されている数字列が入力された場合に、被記録媒体情報を受付けたと判定する。ＣＰＵ１１は、コードリーダ２０から被記録媒体情報をコード化した情報が入力されていない場合、又は操作部２１からコードに付されている数字列が入力されていない場合に、被記録媒体情報が受付けられていないと判定する。ＣＰＵ１１は、被記録媒体情報が受付けられていないと判定した場合には（Ｓ１：ＮＯ）、Ｓ１に戻り、Ｓ１の処理を繰り返す。
【００５４】
ＣＰＵ１１は、被記録媒体情報が受付けられたと判定した場合には（Ｓ１：ＹＥＳ）、受付けた被記録媒体情報に全ての前処理情報が揃っているか判定する（Ｓ１Ａ）。すべての前処理情報の一例は、単位面積当たりの塗布量（ｍｇ／ｃｍ２）、塗布範囲、前処理剤の種類、熱処理圧力（Ｎ／ｃｍ２）、熱処理時間（ｓｅｃ）、熱処理温度（℃）、熱処理範囲、及び熱処理回数の情報である。ＣＰＵ１１は、全ての前処理情報が揃っていると判定した場合には（Ｓ１Ａ：ＹＥＳ）、Ｓ９の処理に進む。
【００５５】
ＣＰＵ１１は、全ての前処理情報が揃っていないと判定した場合には（Ｓ１Ａ：ＮＯ）、被記録媒体情報に含まれている前処理情報を第一テーブル８１の前処理情報の一覧と照合し、被記録媒体情報に含まれている前処理情報が全て一致する前処理情報を特定する（Ｓ１Ｂ）。例えば、ＣＰＵ１１は、被記録媒体情報含まれている前処理情報が、単位面積当たりの塗布量（ｍｇ／ｃｍ２）、塗布範囲、前処理剤の種類のみである場合には、単位面積当たりの塗布量（ｍｇ／ｃｍ２）、塗布範囲、前処理剤の種類が全て一致する前処理情報を第一テーブル８１の前処理情報の一覧から特定する。この際、ＣＰＵ１１は、被記録媒体情報に含まれている前処理情報が全て一致する前処理情報を特定できなかった場合には、フラッシュメモリ１４に記憶されているデフォルトの前処理情報の中から、不足している前処理情報を特定する。また、ＣＰＵ１１は、被記録媒体情報に含まれている前処理情報が全て一致する前処理情報が複数特定された場合には、任意の一つの前処理情報を特定する。
【００５６】
ＣＰＵ１１は、特定した前処理情報から前処理のための情報の全てが揃った前処理情報を取得する（Ｓ３）。ＣＰＵ１１は、全て揃った前処理情報を塗布部４０と熱処理部５０に設定する（Ｓ９）。一例として、ＣＰＵ１１は、取得した前処理情報の塗布処理情報をＲＡＭ１３の塗布部４０の制御情報を格納する領域に格納し、熱処理情報をＲＡＭ１３の熱処理部５０の制御情報を格納する領域に格納する。この際、ＣＰＵ１１は、前処理情報に含まれる塗布範囲内に塗布区間を有さないスプレーを休止する設定を、塗布部４０に対して行う。一例として、ＣＰＵ１１は、各スプレーを一意に識別可能なスプレー識別情報の内、稼働させるスプレーのスプレー識別情報のみをＲＡＭ１３の塗布部４０の制御情報を格納する領域に格納する。
【００５７】
ＣＰＵ１１は、スタートボタンが選択されたか判定する（Ｓ１１）。一例として、ＣＰＵ１１は、スタートボタンが選択された旨の情報が操作部２１から入力されたか判定することで、スタートボタンが選択されたか判定する。ＣＰＵ１１は、スタートボタンが選択されていないと判定した場合には（Ｓ１１：ＮＯ）、Ｓ１１の処理を繰り返す。ＣＰＵ１１は、スタートボタンが選択されたと判定した場合には（Ｓ１１：ＹＥＳ）、駆動回路１６を制御し、プラテンモータ１７を動作させることにより、プラテン３１を搬送させ、塗布部４０と熱処理部５０を制御して前処理を開始させる（Ｓ１３）。一例として、ＣＰＵ１１は、ＲＡＭ１３から塗布部４０と熱処理部５０の制御情報を夫々読み出して、読み出した制御情報に基づく前処理を開始させる。この際、単位面積当たりの塗布量（ｍｇ／ｃｍ２）が"０"の場合には、塗布部４０による前処理剤の塗布を行わない。また、熱処理時間（ｓ）が"０"の場合には、熱処理部５０による熱処理を行わない。
【００５８】
ＣＰＵ１１は、前処理が終了したか判定する（Ｓ１５）。一例として、ＣＰＵ１１は、設定された熱処理時間（ｓｅｃ）の熱処理が設定された回数行われたか判定することで、前処理が終了したか判定する。ＣＰＵ１１は、前処理が終了していないと判定した場合には（Ｓ１５：ＮＯ）、Ｓ１５の処理を繰り返す。
【００５９】
ＣＰＵ１１は、前処理が終了したと判定した場合には（Ｓ１５：ＹＥＳ）、駆動回路１６を制御し、プラテンモータ１７を動作させることにより、プラテン３１をセット位置Ｐ１に移動させ（Ｓ１６）、Ｓ１の処理に戻る。
【００６０】
前処理が行われた後、又は、単位面積当たりの塗布量（ｍｇ／ｃｍ２）が"０"且つ熱処理時間（ｓ）が"０"である為に前処理が行われなかった後、処理対象の被記録媒体を印刷するプリンタ１により、被記録媒体に対し印刷処理が行われる。
【００６１】
＜第一実施形態の主な作用、及び効果＞
上記第一実施形態における前処理装置１０は、被記録媒体が有する被記録媒体情報を受付け、受付けた被記録媒体情報に基づき前処理情報を前処理部７０に設定し、設定した前処理情報に基づく前処理を前処理部７０に実行させる。故に、前処理装置１０は、被記録媒体が有する被記録媒体情報を受付けることで、前処理部７０に前処理を実行させるので、操作者が前処理情報を指定する煩雑さを低減させることができる。
【００６２】
また、上記第一実施形態における前処理装置１０は、前処理情報の少なくとも一部を含む被記録媒体情報を受付ける。前処理装置１０は、受付けた被記録媒体情報に含まれる前処理情報が全て揃っている場合には、被記録媒体情報に含まれる前処理情報を前処理部７０に設定する。故に、前処理装置１０は、被記録媒体が有する被記録媒体情報を受付け、前処理部７０に前処理を実行させるので、操作者が前処理情報を指定する煩雑さを低減させることができる。
【００６３】
また、前処理装置１０は、受付けた被記録媒体情報に含まれる前処理情報が一部のみの場合には、第一テーブル８１の前処理情報の一覧と照合し、被記録媒体情報に含まれる前処理情報が全て一致する前処理情報に基づいて、前処理のための情報の全てが揃った前処理情報を第一テーブル８１から取得する。前処理装置１０は、取得した前処理情報を前処理部７０に設定する。故に、前処理装置１０は、被記録媒体が有する被記録媒体情報を受付け、前処理部７０に前処理を実行させるので、操作者が前処理情報を指定する煩雑さを低減させることができる。すなわち、被記録媒体情報に含まれる前処理情報が多い方が、より操作者が前処理情報を指定する煩雑さを低減させることができる。
【００６４】
また、前処理装置１０は、照合の結果、被記録媒体情報に含まれる前処理情報の全てと一致する前処理情報が第一テーブル８１の前処理情報の一覧に存在しない場合には、フラッシュメモリ１４に記憶されているデフォルトの前処理情報から不足している前処理情報を取得する。前処理装置１０は、全て揃った前処理情報を前処理部７０に設定する。故に、前処理装置１０は、被記録媒体が有する被記録媒体情報を受付け、前処理部７０に前処理を実行させるので、操作者が前処理情報を指定する煩雑さを低減させることができる。
【００６５】
上記第一実施形態における前処理装置１０は、取得した前処理情報の内で塗布処理情報を塗布部４０に設定し、設定した塗布処理情報に基づく前処理剤の塗布を塗布部４０に実行させる。故に、前処理装置１０は、被記録媒体が有する被記録媒体情報を受付け、塗布部４０に前処理剤の塗布を実行させるので、操作者が塗布処理情報を指定する煩雑さを低減させることができる。
【００６６】
上記第一実施形態における前処理装置１０は、取得した前処理情報の内で熱処理情報を熱処理部５０に設定し、設定した熱処理情報に基づく熱処理を熱処理部５０に実行させる。故に、前処理装置１０は、被記録媒体が有する被記録媒体情報を受付け、熱処理部５０に熱処理を実行させるので、操作者が熱処理情報を指定する煩雑さを低減させることができる。
【００６７】
＜第二実施形態＞
第二実施形態におけるネットワーク３の構成、前処理装置１０とサーバ２の構成は第一実施形態の場合とほぼ同じである。従って、異なる部分を説明し、第一実施形態と同じ部分の説明は省略する。第二実施形態では、ＲＯＭ１２が、第二メイン処理用のプログラムを記憶している。また、フラッシュメモリ１４は、第二テーブル８２、詳しくは後述する第三テーブル８３、及び第四テーブル８４を記憶する。被記録媒体情報は、第二実施形態においては、識別子を含む。
【００６８】
＜第三テーブル８３＞
図７（Ａ）に示す様に、第三テーブル８３は、識別子と前処理情報とが、夫々対応付けられたテーブルである。識別子は、被記録媒体である布帛を一意に識別可能な情報である。従って、第三テーブル８３においては、前処理情報は、布帛毎に対応付けられている。また、前処理情報は、布帛毎に対応付けられており、識別子は布帛を一意に識別可能な情報であるので、識別子は、前処理情報を一意に識別可能な情報でもある。
【００６９】
＜第四テーブル８４＞
図７（Ｂ）に示す様に、第四テーブル８４は、前処理情報を示すテーブルの例である。上述した第三テーブル８３の前処理情報として、夫々、第四テーブル８４の前処理情報を示すテーブルが対応付けられている。従って、図７（Ｂ）に示す第四テーブル８４は、第三テーブル８３の各識別子に対応付けられている前処理情報の一例である。前処理剤の単位面積当たりの塗布量（ｍｇ／ｃｍ２）等の前処理情報は、図４（Ａ）において説明したので、ここでの説明は省略する。
【００７０】
＜第二メイン処理＞
図８を参照して、第二メイン処理の流れを説明する。本第二メイン処理は、前処理装置１０の電源が投入されたことをトリガとして実行される。ＣＰＵ１１は、ＲＯＭ１２から第二メイン処理用のプログラムを読み出して、ＲＡＭ１３をワーキングメモリとして使用して、本第二メイン処理を実行する。被記録媒体情報は、第二実施形態においては、上述した様に、識別子を含む。
【００７１】
初めに、ＣＰＵ１１は、被記録媒体情報を受付けたかを判定する（Ｓ１）。第二メイン処理のＳ１の処理は、図６に示す第一メイン処理のＳ１と同じ処理であるので説明は省略する。ＣＰＵ１１は、被記録媒体情報が受付けられていないと判定した場合には（Ｓ１：ＮＯ）、Ｓ１に戻り、Ｓ１の処理を繰り返す。
【００７２】
ＣＰＵ１１は、被記録媒体情報が受付けられたと判定した場合には（Ｓ１：ＹＥＳ）、第三テーブル８３と受付けた被記録媒体情報に含まれる識別子を照合して前処理情報を特定する（Ｓ２）。一例として、ＣＰＵ１１は、第三テーブル８３の識別子と被記録媒体情報に含まれる識別子とを照合して、被記録媒体情報に含まれる識別子に対応する前処理情報を特定する。例えば、ＣＰＵ１１は、被記録媒体情報に含まれる識別子が"ＩＤ３"の場合には、前処理情報３を特定する。ＣＰＵ１１は、特定した前処理情報を取得する（Ｓ３）。
【００７３】
以下、ＣＰＵ１１は、図８に示す第二メイン処理のＳ９〜Ｓ１６の処理を行う。第二メイン処理のＳ９〜Ｓ１６の処理は、図６に示す第一メイン処理のＳ９〜Ｓ１６と同じ処理であるので説明は省略する。
【００７４】
＜第二実施形態の主な作用、及び効果＞
上記第二実施形態における前処理装置１０は、識別子を含む被記録媒体情報を受付け、フラッシュメモリ１４に記憶している第三テーブル８３を参照して、受付けた被記録媒体情報に含まれる識別子に対応する前処置情報を特定する。前処理装置１０は、特定した前処理情報を取得し、前処理部７０に設定する。故に、前処理装置１０は、被記録媒体が有する識別子を含む被記録媒体情報を受付け、前処理部７０に前処理を実行させるので、操作者が前処理情報を指定する煩雑さを低減させることができる。
【００７５】
＜第三実施形態＞
第三実施形態におけるネットワーク３の構成、前処理装置１０とサーバ２の構成は第一実施形態の場合とほぼ同じである。従って、異なる部分を説明し、第一実施形態と同じ部分の説明は省略する。第三実施形態では、ＲＯＭ１２が後述する第三メイン処理用のプログラムを記憶している。また、フラッシュメモリ１４は、第二テーブル８２、第四テーブル８４、詳しくは後述する第五テーブル８５、及び第六テーブル８６を記憶している。被記録媒体情報は、第三実施形態においては、メディア情報を含む。メディア情報は、前処理対象の被記録媒体に関する情報である。メディア情報については、更に後述する。
【００７６】
＜第五テーブル８５＞
図９（Ａ）に示す様に、第五テーブル８５は、メディア情報と前処理情報とを対応付けたテーブルである。メディア情報は、一例として、メーカー、ブランド、型番、生地の厚さ、素材、編み／織り、色、及びロットの情報である。メーカー、ブランド、型番、及びロットは、製造情報とも言う。また、生地の厚さ、素材、編み／織り、及び色は、材質情報とも言う。メディア情報は、製造情報、及び材質情報の少なくとも一方を含む。
【００７７】
メーカーは、被記録媒体に印刷を施した完成品の製造先の情報である。以下、完成品を製品と言う。ブランドは、メーカーが展開するブランドの情報である。型番は、製品のモデル毎に割り当てられる管理番号の情報である。生地の厚さは、単位面積当たりの生地の重量の情報である。素材は、綿、ポリエステル、及び綿とポリエステルの混合等の被記録媒体の生地の材料の情報である。編み／織りは、生地の編み方法、又は織り方法の情報である。色は、被記録媒体の色の情報である。ロットは、生産管理上の製品の製造単位の管理番号の情報である。
【００７８】
＜第六テーブル８６＞
図９（Ｂ）に示す様に、第六テーブル８６は、特定色を設定しているテーブルである。特定色は、前処理を実行しない色であり、例えば、前処理剤を布帛に塗布し、熱処理により前処理剤の定着を向上させても、画質が殆ど向上しない色等である。特定色は、第六テーブル８６に設定されている色自体、及び色の明度が第六テーブル８６に設定されている明度閾値ＢＮ以上である色である。第六テーブル８６は、例えば、操作部２１を介して設定可能である。
【００７９】
＜第三メイン処理＞
図１０を参照して、第三メイン処理の流れを説明する。本第三メイン処理は、前処理装置１０の電源が投入されたことをトリガとして実行される。ＣＰＵ１１は、ＲＯＭ１２から第三メイン処理用のプログラムを読み出して、ＲＡＭ１３をワーキングメモリとして使用して、本第三メイン処理を実行する。被記録媒体情報は、第三実施形態においては、上述した様に、メディア情報を含む。
【００８０】
初めに、ＣＰＵ１１は、被記録媒体情報を受付けたかを判定する（Ｓ１）。第三メイン処理のＳ１の処理は、図６に示す第一メイン処理のＳ１と同じ処理であるので説明は省略する。ＣＰＵ１１は、被記録媒体情報が受付けられていないと判定した場合には（Ｓ１：ＮＯ）、Ｓ１に戻り、Ｓ１の処理を繰り返す。
【００８１】
ＣＰＵ１１は、被記録媒体情報を受付けられたと判定した場合には（Ｓ１：ＹＥＳ）、前処理装置１０に電源が投入された後、最初の被記録媒体情報の受付であるか判定する（Ｓ２Ｈ）。一例として、ＣＰＵ１１は、電源が投入された後、コードリーダ２０から最初に入力された被記録媒体情報であるか判定することで、電源が投入された後、最初の被記録媒体の受付であるか判定する。最初に入力された被記録媒体情報であるかは、ＲＡＭ１３に既に記録されている被記録媒体情報が存在するかで判定する。ＣＰＵ１１は、最初の被記録媒体情報の受付であると判定した場合には（Ｓ２Ｈ：ＹＥＳ）、Ｓ３の処理に進む。
【００８２】
ＣＰＵ１１は、最初の被記録媒体情報の受付ではないと判定した場合には（Ｓ２Ｈ：ＮＯ）、フラッシュメモリ１４に記憶されている前回受付けたメディア情報と比較して、今回受付けたメディア情報の中でロットのみ変わったか判定する（Ｓ２Ｃ）。一例として、ＣＰＵ１１は、前回受付けたメディア情報と今回受付けたメディア情報とを比較し、異なるのがロットのみか判定することで、ロットのみ変わったか判定する。ＣＰＵ１１は、ロット以外も変わった、又は全て同じメディア情報であると判定した場合には（Ｓ２Ｃ：ＮＯ）、Ｓ３の処理に進む。ＣＰＵ１１は、ロットのみ変わったと判定した場合には（Ｓ２Ｃ：ＹＥＳ）、前処理情報が変わったか判定する（Ｓ２Ｄ）。一例として、ＣＰＵ１１は、受付けたメディア情報と第五テーブル８５とを照合し、メディア情報に対応する前処理情報を特定する。ＣＰＵ１１は、特定した前処理情報を前回特定した前処理情報と比較して前処理情報が変わったか判定する。
【００８３】
ＣＰＵ１１は、前処理情報が変わっていないと判定した場合には（Ｓ２Ｄ：ＮＯ）、Ｓ５の処理に進む。ＣＰＵ１１は、前処理情報が変わったと判定した場合には（Ｓ２Ｄ：ＹＥＳ）、前処理情報が変わることを警告する（Ｓ２Ｅ）。この際、例えば、ＣＰＵ１１は、表示部２２を制御して、前処理情報が変わる旨を表示させる。次いで、ＣＰＵ１１は、前処理情報を取得する（Ｓ３）。一例として、ＣＰＵ１１は、Ｓ２Ｃの処理にて、ロット以外も変わったと判定した場合（Ｓ２Ｃ：ＮＯ）、受付けたメディア情報と第五テーブル８５とを照合し、メディア情報に対応する前処理情報を特定し、特定した前処理情報を取得する。また、ＣＰＵ１１は、Ｓ２Ｄの処理にて、前処理情報が変わると判定した場合には（Ｓ２Ｄ：ＹＥＳ）、Ｓ２Ｄの処理にて特定した前処理情報を取得する。
【００８４】
ＣＰＵ１１は、メディア情報に基づき、前処理剤の塗布が必要であるか判定する（Ｓ５）。一例として、ＣＰＵ１１は、第六テーブル８６を参照して、メディア情報に含まれる材質情報に含まれる色の情報が第六テーブル８６に設定されている特定色に該当しないか判定する。この際、メディア情報に製造情報のみ含まれている場合には、製造情報に基づき材質情報を特定した後に、上記判定を行う。ＣＰＵ１１は、特定色に該当しないと判定した場合には、前処理剤の塗布が必要であると判定し（Ｓ５：ＹＥＳ）、特定色に該当すると判定した場合には、前処理剤の塗布が必要ないと判定する（Ｓ５：ＮＯ）。
【００８５】
ＣＰＵ１１は、前処理剤の塗布が必要ないと判定した場合には（Ｓ５：ＮＯ）、熱処理が必要であるか判定する（Ｓ７）。一例として、ＣＰＵ１１は、受付けたメディア情報に熱処理を施す指令である熱処理指令が含まれている場合に、熱処理が必要であると判定し（Ｓ７：ＹＥＳ）、受付けたメディア情報に熱処理指令が含まれていない場合に、熱処理が必要ないと判定する（Ｓ７：ＮＯ）。ＣＰＵ１１は、熱処理が必要であると判定した場合には（Ｓ７：ＹＥＳ）、Ｓ９の処理に進む。
【００８６】
ＣＰＵ１１は、前処理剤の塗布が必要であると判定した場合には（Ｓ５：ＹＥＳ）、取得した前処理情報を前処理部７０に設定する（Ｓ９）。一例として、ＣＰＵ１１は、取得した前処理情報の塗布処理情報をＲＡＭ１３の塗布部４０の制御情報を格納する領域に格納し、熱処理情報をＲＡＭ１３の熱処理部５０の制御情報を格納する領域に格納する。この際、ＣＰＵ１１は、熱処理のみ必要な場合には、取得した前処理情報の内で熱処理情報を熱処理部５０に設定する。この場合、ＣＰＵ１１は、取得した前処理情報の内で熱処理情報のみをＲＡＭ１３の熱処理部５０の制御情報を格納する領域に格納する。また、ＣＰＵ１１は、前処理情報に含まれる塗布範囲内に塗布区間を有さないスプレーを休止する設定を、塗布部４０に対して行う。一例として、ＣＰＵ１１は、各スプレーを一意に識別可能なスプレー識別情報の内、稼働させるスプレーのスプレー識別情報のみをＲＡＭ１３の塗布部４０の制御情報を格納する領域に格納する。
【００８７】
図１０に示す第三メイン処理のＳ１１〜Ｓ１６の処理は、図６に示す第一メイン処理のＳ１１〜Ｓ１６の処理と同じであるので、説明は省略する。Ｓ７の処理にて、ＣＰＵ１１は、熱処理が必要ないと判定した場合には（Ｓ７：ＮＯ）、Ｓ１の処理に戻る。
【００８８】
＜第三実施形態の主な作用及び効果＞
上記第三実施形態における前処理装置１０は、メディア情報を含む被記録媒体情報を受付けると、第五テーブル８５を参照して、被記録媒体情報に含まれるメディア情報に対応する前処理情報を特定し、特定した前処理情報を取得する。前処理装置１０は、取得した前処理情報を前処理部７０に設定する。故に、前処理装置１０は、被記録媒体が有する被記録媒体情報を受付け、前処理部７０に前処理を実行させるので、操作者が前処理情報を指定する煩雑さを低減させることができる。
【００８９】
上記第三実施形態におけるメディア情報は、製造情報、及び材質情報の少なくとも一つを含んでいる。前処理装置１０は、製造情報、及び材質情報の少なくとも一つに基づき、前処理情報を特定する。故に、前処理装置１０は、操作者が前処理情報を指定する煩雑さを低減させることができる。
【００９０】
上記第三実施形態における前処理装置１０は、前回受付けた被記録媒体情報のメディア情報と今回受付けた被記録媒体情報のメディア情報とを比較し、ロットのみが異なっている場合、且つ前処理情報が変わった場合に、前処理情報が変わることを事前に警告する。故に、操作者は、前処理対象の被記録媒体に異なる点が無くても、前処理の設定が変わる事を事前に知ることができる。従って、操作者が誤って前処理装置１０を停止することが低減するので、前処理装置１０の生産性が向上する。
【００９１】
上記第三実施形態における前処理装置１０は、受付けた被記録媒体情報に含まれるメディア情報の色情報が示す色が、第六テーブル８６に設定されている特定色に該当する場合には、前処理を実行しない。故に、前処理装置１０は、前処理をする必要が無い色の情報がメディア情報に含まれている場合には、前処理を実行しないので、前処理装置１０の生産性が向上する。
【００９２】
上記第三実施形態における前処理装置１０は、受付けた被記録媒体情報に含まれるメディア情報の色情報が示す色が、第六テーブル８６に設定されている特定色に該当する場合であっても、受付けた被記録媒体情報に熱処理指令が含まれている場合には、熱処理を実行する。故に、前処理装置１０は、前処理をする必要が無い色の情報がメディア情報に含まれている場合であっても、必要に応じて熱処理を実行できる。
【００９３】
＜第四実施形態＞
第四実施形態におけるネットワーク３の構成、前処理装置１０とサーバ２の構成は第三実施形態の場合とほぼ同じである。従って、異なる部分を説明し、第三実施形態と同じ部分の説明は省略する。第四実施形態では、ＲＯＭ１２が、後述する第四メイン処理用のプログラムを記憶している。また、前処理装置１０のフラッシュメモリ１４は、第二テーブル８２、及び第六テーブル８６を記憶している。外部装置、例えば、サーバ２のＨＤＤ２０４は、第四テーブル８４、及び詳しくは後述する第七テーブル８７を記憶している。被記録媒体情報は、第四実施形態においては、識別子を含む。
【００９４】
＜第七テーブル８７＞
図９（Ａ）、及び図１１に示すように、第七テーブル８７は、第五テーブル８５に識別子を対応付けたテーブルである。
【００９５】
＜第四メイン処理＞
図１２、及び図１３を参照して、第四メイン処理の流れを説明する。本第四メイン処理は、前処理装置１０の電源が投入されたことをトリガとして実行される。ＣＰＵ１１は、ＲＯＭ１２から第四メイン処理用のプログラムを読み出して、ＲＡＭ１３をワーキングメモリとして使用して、本第四メイン処理を実行する。被記録媒体情報は、第四実施形態においては、上述した様に、識別子を含む。
【００９６】
初めに、ＣＰＵ１１は、被記録媒体情報を受付けたかを判定する（Ｓ１）。第四メイン処理のＳ１の処理は、図１０に示す第三メイン処理のＳ１と同じ処理であるので説明は省略する。ＣＰＵ１１は、被記録媒体情報が受付けられていないと判定した場合には（Ｓ１：ＮＯ）、Ｓ１に戻り、Ｓ１の処理を繰り返す。ＣＰＵ１１は、被記録媒体情報が受付けられたと判定した場合には（Ｓ１：ＹＥＳ）、通信部２４を介して、受付けた被記録媒体情報に含まれる識別子を含むメディア情報要求をサーバ２に送信する（Ｓ２Ｆ）。
【００９７】
ＣＰＵ１１は、サーバ２から送信されたメディア情報を受信したか判定する（Ｓ２Ｇ）。一例として、ＣＰＵ１１は、通信部２４からメディア情報が入力されたか判定することで、メディア情報を受信したか判定する。ＣＰＵ１１は、メディア情報を受信していないと判定した場合には（Ｓ２Ｇ：ＮＯ）、Ｓ２Ｇの処理を繰り返す。ＣＰＵ１１は、メディア情報を受信したと判定した場合には（Ｓ２Ｇ：ＹＥＳ）、前処理装置１０に電源が投入された後、最初の被記録媒体情報の受付であるか判定する（Ｓ２Ｈ）。第四メイン処理のＳ２Ｈの処理は、図１０に示す第三メイン処理のＳ２Ｈの処理と同じなので、詳細な説明は省略する。ＣＰＵ１１は、最初の被記録媒体情報の受付であると判定した場合には（Ｓ２Ｈ：ＹＥＳ）、Ｓ２Ａの処理に進む。
【００９８】
ＣＰＵ１１は、最初の被記録媒体情報の受付ではないと判定した場合には（Ｓ２Ｈ：ＮＯ）、前回受信したメディア情報と比較して、今回受信したメディア情報のロットのみが変わったか判定する（Ｓ２Ｃ）。一例として、ＣＰＵ１１は、前回受信したメディア情報と今回受信したメディア情報とを比較し、異なるのがロットのみか判定することで、ロットのみ変わったか判定する。ＣＰＵ１１は、ロットのみ変わったと判定した場合には（Ｓ２Ｃ：ＹＥＳ）、通信部２４を介して、受付けた被記録媒体情報に含まれる識別子又は受信したメディア情報を含む前処理情報要求をサーバ２に送信する（Ｓ２Ａ）。
【００９９】
ＣＰＵ１１は、サーバ２から送信された前処理情報を受信したか判定する（Ｓ２Ｂ）。一例として、ＣＰＵ１１は、通信部２４から前処理情報が入力されたか判定することで、前処理情報を受信したか判定する。ＣＰＵ１１は、前処理情報を受信していないと判定した場合には（Ｓ２Ｂ：ＮＯ）、Ｓ２Ｂの処理を繰り返す。ＣＰＵ１１は、前処理情報を受信したと判定した場合には（Ｓ２Ｂ：ＹＥＳ）、受信した前処理情報が変わったか判定する（Ｓ２Ｄ）。一例として、ＣＰＵ１１は、前回受信した前処理情報と比較して、今回受信した前処理情報が変わったか判定する。
【０１００】
ＣＰＵ１１は、受信した前処理情報が変わっていないと判定した場合には（Ｓ２Ｄ：ＮＯ）、Ｓ５の処理に進む。ＣＰＵ１１は、受信した前処理情報が変わったと判定した場合には（Ｓ２Ｄ：ＹＥＳ）、前処理情報が変わることを警告する（Ｓ２Ｅ）。この際、例えば、ＣＰＵ１１は、表示部２２を制御して、前処理情報が変わる旨を表示させる。ＣＰＵ１１は、Ｓ５の処理に進む。
【０１０１】
Ｓ２Ｃの処理にて、ＣＰＵ１１は、ロット以外も変わった、又は全て同じメディア情報であると判定した場合には（Ｓ２Ｃ：ＮＯ）、ロット以外も変わったか判定する（Ｓ２Ｉ）。一例として、ＣＰＵ１１は、前回受信したメディア情報と今回受信したメディア情報とを比較し、ロット以外も異なるか判定することで、ロット以外も変わったか判定する。ＣＰＵ１１は、ロット以外も変わっていない、つまり、全て同じメディア情報であると判定した場合には（Ｓ２Ｉ：ＮＯ）、Ｓ５の処理に進む。ＣＰＵ１１は、ロット以外も変わったと判定した場合には（Ｓ２Ｉ：ＹＥＳ）、通信部２４を介して、受付けた被記録媒体情報に含まれる識別子又は受信したメディア情報を含む前処理情報要求をサーバ２に送信する（Ｓ２Ｊ）。
【０１０２】
ＣＰＵ１１は、サーバ２から送信された前処理情報を受信したか判定する（Ｓ２Ｋ）。一例として、ＣＰＵ１１は、通信部２４から前処理情報が入力されたか判定することで、前処理情報を受信したか判定する。ＣＰＵ１１は、前処理情報を受信していないと判定した場合には（Ｓ２Ｋ：ＮＯ）、Ｓ２Ｋの処理を繰り返す。ＣＰＵ１１は、前処理情報を受信したと判定した場合には（Ｓ２Ｋ：ＹＥＳ）、ＣＰＵ１１は、メディア情報に基づき、前処理剤の塗布が必要であるか判定する（Ｓ５）。第四メイン処理のＳ５の処理は、図１０に示す第三メイン処理のＳ５の処理と同じなので、詳細な説明は省略する。また、第四メイン処理のＳ５〜Ｓ１６の処理は、図１０に示す第三メイン処理のＳ５〜Ｓ１６の処理と同じなので説明を省略する。
【０１０３】
＜第四実施形態における主な作用、及び効果＞
上記第四実施形態における前処理装置１０は、識別子を含む被記録媒体情報を受付けると、被記録媒体情報に含まれる識別子を含むメディア情報要求を、外部装置、例えば、サーバ２に送信する。前処理装置１０は、前回受信したメディア情報と今回受信したメディア情報とを比較し、ロットのみが異なっている場合、且つ前処理情報が変わった場合に、前処理情報が変わることを事前に警告する。故に、操作者は、前処理対象の被記録媒体に異なる点が無くても、前処理の設定が変わる事を事前に知ることができる。従って、操作者が誤って前処理装置１０を停止することが低減するので、前処理装置１０の生産性が向上する。
【０１０４】
上記第四実施形態における前処理装置１０は、識別子を含む被記録媒体情報を受付けると、被記録媒体情報に含まれる識別子を含むメディア情報要求を、外部装置、例えば、サーバ２に送信し、メディア情報を取得する。前処理装置１０は、取得したメディア情報又は識別子を含む前処理情報要求を、外部装置、例えば、サーバ２に送信し、前処理情報を取得する。前処理装置１０は、取得した前処理情報を前処理部７０に設定する。故に、前処理装置１０は、被記録媒体が有する被記録媒体情報を受付けるのみで、前処理部７０に前処理を実行させるので、操作者が前処理情報を指定する煩雑さを低減させることができる。
【０１０５】
＜第五実施形態＞
第五実施形態におけるネットワーク３の構成、前処理装置１０とサーバ２の構成は第一実施形態の場合とほぼ同じである。従って、異なる部分を説明し、第一実施形態と同じ部分の説明は省略する。第五実施形態では、ＲＯＭ１２が、第五メイン処理用のプログラムを記憶している。また、フラッシュメモリ１４は、第二テーブル８２、及び前処理範囲を除くデフォルトの前処理情報を記憶している。外部装置、例えば、サーバ２のＨＤＤ２０４が、第八テーブル８８を記憶している。被記録媒体情報は、第五実施形態においては、識別子を含む。
【０１０６】
＜第八テーブル８８＞
図１４に示す様に、第八テーブル８８は、識別子と印刷データとを対応付けたテーブルである。識別子は、被記録媒体である布帛を一意に識別可能な情報である。識別子は、被記録媒体を一意に識別可能であるので、第八テーブル８８は、被記録媒体と被記録媒体の印刷データとを対応付けていると言える。従って、識別子は、印刷データを一意に識別可能な情報でもある。
【０１０７】
＜第五メイン処理＞
図１５を参照して、第五メイン処理の流れを説明する。本第五メイン処理は、前処理装置１０の電源が投入されたことをトリガとして実行される。ＣＰＵ１１は、フラッシュメモリ１４から第五メイン処理用のプログラムを読み出して、ＲＡＭ１３をワーキングメモリとして使用して、本第五メイン処理を実行する。被記録媒体情報は、第五実施形態においては、上述した様に、識別子を含む。
【０１０８】
初めに、ＣＰＵ１１は、被記録媒体情報を受付けたかを判定する（Ｓ１）。第五メイン処理のＳ１の処理は、図６に示す第一メイン処理のＳ１と同じ処理であるので説明は省略する。ＣＰＵ１１は、被記録媒体情報が受付けられていないと判定した場合には（Ｓ１：ＮＯ）、Ｓ１に戻り、Ｓ１の処理を繰り返す。ＣＰＵ１１は、被記録媒体情報が受付けられたと判定した場合には（Ｓ１：ＹＥＳ）、通信部２４を介して、受付けた被記録媒体情報に含まれる識別子を含む印刷データ要求をサーバ２に送信する（Ｓ２Ｌ）。
【０１０９】
ＣＰＵ１１は、サーバ２から送信された印刷データを受信したか判定する（Ｓ２Ｍ）。一例として、ＣＰＵ１１は、通信部２４から印刷データが入力されたか判定することで、印刷データを受信したか判定する。ＣＰＵ１１は、印刷データを受信していないと判定した場合には（Ｓ２Ｍ：ＮＯ）、Ｓ２Ｍの処理を繰り返す。ＣＰＵ１１は、印刷データを受信したと判定した場合には（Ｓ２Ｍ：ＹＥＳ）、受信した印刷データを解析する（Ｓ２Ｎ）。一例として、ＣＰＵ１１は、受信した印刷データに含まれる画像データの配置情報を解析し、特定する。
【０１１０】
ＣＰＵ１１は、特定した画像データの配置情報に基づき、前処理範囲を特定する（Ｓ２Ｎ）。前処理範囲の特定方法を具体的に説明する。例えば、印刷データに含まれる画像データに対応する画像が図５（Ａ）に示す、黒色の星であるものとする。印刷データには前処理装置１０のプラテン３１における画像の配置情報が含まれている。従って、ＣＰＵ１１は、配置情報に基づき、画像の外縁の各点のプラテン３１におけるＸＹ座標を取得できる。ＣＰＵ１１は、取得した各ＸＹ座標が含まれる分割された領域（図５の例では７×１８分割）を特定する。この特定の際、黒色の星を任意の拡大率で拡大された星の各ＸＹ座標が含まれる領域を特定するのが望ましい。ＣＰＵ１１は、特定した領域で囲まれた領域を塗布範囲として特定する。熱処理範囲の特定方法については、図５の説明において上述した通りである。
【０１１１】
ＣＰＵ１１は、フラッシュメモリ１４からデフォルトの前処理範囲を除く前処理情報を取得し、取得した前処理情報と特定した前処理範囲を前処理部７０に設定する（Ｓ９Ａ）。一例として、ＣＰＵ１１は、取得した前処理情報の塗布処理情報と特定した前処理範囲の情報をＲＡＭ１３の塗布部４０の制御情報を格納する領域に格納し、熱処理情報をＲＡＭ１３の熱処理部５０の制御情報を格納する領域に格納する。この際、ＣＰＵ１１は、前処理情報に含まれる塗布範囲内に塗布区間を有さないスプレーを休止する設定を、塗布部４０に対して行う。一例として、ＣＰＵ１１は、各スプレーを一意に識別可能なスプレー識別情報の内、稼働させるスプレーのスプレー識別情報のみをＲＡＭ１３の塗布部４０の制御情報を格納する領域に格納する。
【０１１２】
第五メイン処理のＳ１１〜Ｓ１６は、図６に示す第一メイン処理のＳ１１〜Ｓ１６と同じであるので説明を省略する。
【０１１３】
＜第五実施形態の主な作用、及び効果＞
上記第五実施形態における前処理装置１０は、被記録媒体情報を受付けると、受付けた被記録媒体情報に基づき、前処理範囲を特定する。故に、前処理装置１０は、操作者が前処理範囲を指定する煩雑さを低減されることができる。
【０１１４】
上記第五実施形態における前処理装置１０は、識別子を含む被記録媒体情報を受付けると、被記録媒体情報に含まれる識別子を含む印刷データ要求を、外部装置、例えば、サーバ２に送信し、印刷データを取得する。前処理装置１０は、取得した印刷データに基づき、前処理範囲を特定する。故に、前処理装置１０は、印刷データに基づき適切な前処理を実行できる。
【０１１５】
上記第五実施形態における前処理装置１０は、印刷データに基づき、前処理範囲を特定する。故に、前処理装置１０は、印刷データに基づき適切な前処理を実行できる。
【０１１６】
上記第五実施形態における前処理装置１０は、印刷データに含まれる画像データのプラテン３１における画像の配置情報に基づき、前処理範囲を特定する。故に、前処理装置１０は、印刷データに基づき適切な前処理を実行できる。
【０１１７】
＜変形例＞
第一実施形態〜第五実施形態の各処理のステップは、矛盾が無い範囲で組み合わせ、又は組み替えても良い。また、矛盾が無い範囲で順番を入れ替えても良い。
【０１１８】
第一〜第五実施形態における前処理剤の単位面積当たりの塗布量（ｍｇ／ｃｍ２）は、所定面積の塗布量であっても良いし、塗布範囲の塗布量であっても良い。この場合、受付けた塗布量に基づき単位面積当たりの塗布量（ｍｇ／ｃｍ２）を求める様にすれば良い。
【０１１９】
被記録媒体情報は塗布量の情報を含み、前処理装置１０は、被記録媒体情報に含まれる塗布量に基づいて熱処理情報を設定しても良い。一例として、前処理装置１０は、塗布量に比例した熱処理時間（ｓ）を自動的に設定する。
【０１２０】
第一メイン処理のＳ１Ｂの処理において、ＣＰＵ１１は、被記録媒体情報に含まれている前処理情報が全て一致する前処理情報を特定できなかった場合には、フラッシュメモリ１４に記憶されているデフォルトの前処理情報の中から、不足している前処理情報を特定すると説明した。しかしながら、これに限定されるわけではなく、デフォルトの前処理情報がフラッシュメモリ１４に記憶されていなくても良い。この場合、ＣＰＵ１１は、第一テーブル８１の前処理情報の一覧の中から被記録媒体情報に含まれる前処理情報に一番近い前処理情報を特定する。
【０１２１】
第五実施形態における前処理装置１０は、外部装置、例えば、サーバ２から印刷データを取得した。しかしながら、これに限定されるものではなく、前処理装置１０のフラッシュメモリ１４が第八テーブル８８を保持し、第八テーブル８８から印刷データを取得しても良い。
【０１２２】
第二実施形態において、外部装置、例えば、サーバ２のＨＤＤ２０４が、第三テーブル８３と第四テーブル８４を記憶してもよい。この場合、前処理装置１０は、識別子を含む被記録媒体情報を受付けると、被記録媒体情報に含まれる識別子を含む前処理情報要求を、前処理情報を保持する外部装置、例えば、サーバ２に送信する。前処理装置１０は、前処理情報を保持する外部装置、例えば、サーバ２から返信された前処理情報を前処理部７０に設定する。故に、前処理装置１０は、被記録媒体が有する被記録媒体情報を受付け、前処理部７０に前処理を実行させるので、操作者が前処理情報を指定する煩雑さを低減させることができる。
【０１２３】
上記実施形態において、識別子は布帛を一意に識別すると説明したが、これに限定されるわけではなく、識別子は、前処理情報、印刷データ等を一意に識別しても良い。例えば、識別子が前処理情報を一意に識別する場合には、前処理装置１０は、識別子を含む被記録媒体情報を受付け、被記録媒体情報に含まれる識別子に基づき前処理情報を特定すれば良い。また、例えば、識別子が印刷データを一意に識別する場合には、前処理装置１０は、識別子を含む被記録媒体情報を受付け、被記録媒体情報に含まれる識別子に基づき印刷データを特定する。前処理装置１０は、特定した印刷データの画像の配置情報を解析し、印刷データに基づき前処理範囲を特定すれば良い。
【０１２４】
第一〜第五実施形態における前処理装置１０は、前処理対象の被記録媒体に印刷可能な印刷部を備えていても良い。
【０１２５】
第三〜第五実施形態における外部装置は、サーバ２を例に説明したが、プリンタ１であっても良いし、端末装置（不図示）であっても良い。端末装置は、一例として、ＰＣ（Personal Computer）、高機能携帯電話、及びタブレット等である。
【０１２６】
上記第五実施形態における前処理装置１０は、印刷データに含まれる画像データのプラテン３１における画像の配置情報に基づき、前処理範囲を特定する。故に、前処理装置１０は、印刷データに基づき適切な前処理を実行できる。
【０１２７】
第一〜第五メイン処理のＳ９又はＳ９Ａの処理において、塗布処理情報として前処理剤の単位面積当たりの塗布量（ｍｇ／ｃｍ２）、及び前処理剤の種類の少なくとも一つを塗布部４０に設定する様にしても良い。この様にすることで、前処理装置１０は、操作者が前処理剤の種類、及び前処理剤の単位面積当たりの塗布量（ｍｇ／ｃｍ２）の少なくとも一つを含む塗布処理情報を指定する煩雑さを低減させることができる。
【０１２８】
第一〜第五メイン処理のＳ９又はＳ９Ａの処理において、熱処理情報として熱処理圧力（Ｎ／ｃｍ２）、熱処理時間（ｓｅｃ）、熱処理温度（℃）、及び熱処理回数の少なくとも一つを熱処理部５０に設定する様にしても良い。この様にすることで、前処理装置１０は、操作者が熱処理圧力（Ｎ／ｃｍ２）、熱処理時間（ｓｅｃ）、熱処理温度（℃）、及び熱処理回数の少なくとも一つを含む熱処理情報を指定する煩雑さを低減させることができる。
【０１２９】
第一〜第五実施形態における熱処理部５０はヒートプレス部を備え、メイン処理のＳ９又はＳ９Ａの処理において、熱処理情報としてヒートプレス圧力（Ｎ／ｃｍ２）、ヒートプレス時間（ｓｅｃ）、ヒートプレス温度（℃）、及びヒートプレス回数の少なくとも一つを熱処理部５０に設定する様にしても良い。この様にすることで、前処理装置１０は、操作者がヒートプレス圧力（Ｎ／ｃｍ２）、ヒートプレス時間（ｓｅｃ）、ヒートプレス温度（℃）、及びヒートプレスの回数の少なくとも一つを含む熱処理情報を指定する煩雑さを低減させることができる。
【０１３０】
メイン処理等を実行する為のプログラム等は、インターネット上のサーバ装置が有するディスク装置等に記憶し、前処理装置１０、及びサーバ２は各種のプログラムをダウンロード等しても良い。
【０１３１】
実施形態または変形例に応じて、前処理装置１０、及びサーバ２は、ＲＯＭ、ＲＡＭ以外の他の種類の記憶装置を利用しても良い。例えば、前処理装置１０、及びサーバ２は、ＣＡＭ(Content Addressable Memory)、ＳＲＡＭ(Static Random Access Memory)、ＳＤＲＡＭ(Synchronous Dynamic Random Access Memory)等の記憶装置を有しても良い。
【０１３２】
実施形態または変形例に応じて、前処理装置１０、及びサーバ２の電気的構成は図３と異なっていても良く、図３に例示した規格・種類以外のその他のハードウェアが前処理装置１０、及びサーバ２に適用できる。
【０１３３】
例えば、図３に示す前処理装置１０、及びサーバ２の制御部は、ハードウェア回路で実現しても良い。一例として、ＣＰＵ１１、及びＣＰＵ２０１の少なくとも一方の代わりに、ＦＰＧＡ(Field Programmable Gate Array)等のリコンフィギュラブル回路、又はＡＳＩＣ(Application Specific Integrated Circuit)等で、制御部は実現しても良い。ＣＰＵ１１又はＣＰＵ２０１とハードウェア回路の双方で、制御部は実現しても良い。
【０１３４】
＜その他＞
ＣＰＵ１１は、本発明の「制御部」の一例である。コードリーダ２０と操作部２１は、本発明の「受付部」の一例である。フラッシュメモリ１４は、本発明の「記憶部」の一例である。
【符号の説明】
【０１３５】
２        サーバ
１０      前処理装置
１１      ＣＰＵ
１４      フラッシュメモリ
２０      コードリーダ
２１      操作部
４０      塗布部
５０      熱処理部
７０      前処理部
【図１】
2019116706.tif 000003
【図２】
2019116706.tif 000004
【図３】
2019116706.tif 000005
【図４】
2019116706.tif 000006
【図５】
2019116706.tif 000007
【図６】
2019116706.tif 000008
【図７】
2019116706.tif 000009
【図８】
2019116706.tif 000010
【図９】
2019116706.tif 000011
【図１０】
2019116706.tif 000012
【図１１】
2019116706.tif 000013
【図１２】
2019116706.tif 000014
【図１３】
2019116706.tif 000015
【図１４】
2019116706.tif 000016
【図１５】
2019116706.tif 000017